(57)【要約】【課題】ビニールハウスの屋根部に発生する露を取るビニールハウスの露取り具を提供する。【解決手段】  硬質フィルム１３と軟質フィルム１４との間に配設されたレール体１１を備え、そのレール体１１は、上記硬質フィルム１３および軟質フィルム１４を掛止するとともに、露を受ける露受け部１５を有し、上記露受け部１５に水抜き孔１２を設けている。これにより、ビニールハウス１０内の野菜などの結露中の有機物からの感染を防ぐとともに、施工を容易にすることができ、施工コストの削減を図ることができる。【選択図】図４
2008220194.tif 000002
【特許請求の範囲】
【請求項１】
ビニールハウス内に発生する露または水滴を受け回収するビニールハウスの露取り具であって、
上記ビニールハウスの屋根部に配設される第１のフィルム体と第２のフィルム体との間には、レール体が上記ビニールハウスの長さ方向に設けられ、
そのレール体は、上記第１のフィルム体および上記第２のフィルム体を掛止するとともに、上記ビニールハウス内に発生する水滴または露を受け回収する露受け溝部を備え、
上記露受け溝部には、所定間隔を有して離間して複数個の水抜き孔が設けられたことを特徴とするビニールハウスの露取り具。
【請求項２】
上記第１のフィルム体は硬質フィルムであり、第２のフィルム体は軟質フィルムであることを特徴とする請求項１に記載のビニールハウスの露取り具。
【請求項３】
上記水抜き孔の下方には、その水抜き孔から落ちる水を集水する箱形状の露受器が配設されたことを特徴とする請求項１または請求項２に記載のビニールハウスの露取り具。
【発明の詳細な説明】
【技術分野】
【０００１】
この発明はビニールハウスの露取り具、詳しくはビニールハウスの屋根に設けられる露取りの構造に関する。
【背景技術】
【０００２】
一般的に、ビニールハウス内は、栽培物を育成するために外気温度より高い温度に設定されている。このため、ビニールハウス内には、そのハウス内の気温または湿度を調整したいときに使用する、巻上式のフィルムがその屋根部に展張されている。例えば、特許文献１には、巻上式のフィルムを備えたビニールハウスの構造が開示されている。
【０００３】
【特許文献１】特開２００２−８４９００号公報
【発明の開示】
【発明が解決しようとする課題】
【０００４】
しかし、巻上式のフィルムを備えたビニールハウスであっても、そのハウス内の気温が外気よりも高く、栽培物の生理作用および散水した土壌からの蒸発などによる結露現象が発生する。このため、ビニールハウス内のフィルム面内において多量の露が発生する。この発生した露を放置しておくと、ビニールハウス内で作業している作業者に不快感を与え、また、ビニールハウス内の栽培物に病気を与えてしまう。
【０００５】
この発明は、上記問題を解決するためになされたもので、ビニールハウス内に発生する露を受け回収するビニールハウスの露取り具を提供することを目的とする。
また、この発明は、多量の露を受け回収するとともに、硬質フィルムと軟質フィルムとを掛止することができるビニールハウスの露取り具を提供することを目的とする。
【課題を解決するための手段】
【０００６】
請求項１に記載の発明は、ビニールハウス内に発生する露または水滴を受け回収するビニールハウスの露取り具であって、上記ビニールハウスの屋根部に配設される第１のフィルム体と第２のフィルム体との間には、レール体が上記ビニールハウスの長さ方向に設けられ、そのレール体は、上記第１のフィルム体および上記第２のフィルム体を掛止するとともに、上記ビニールハウス内に発生する水滴または露を受け回収する露受け溝部を備え、上記露受け溝部には、所定間隔を有して離間して複数個の水抜き孔が設けられたことを特徴とするビニールハウスの露取り具である。
【０００７】
上記第１のフィルム体は、硬質フィルムが用いられる。また、第２のフィルム体は、軟質フィルムが用いられる。
上記レール体に設けられる水抜き孔の個数は限定されない。また、所定間隔を有して離間して設けられる水抜き孔の幅も限定されない。さらに、水抜き孔の大きさも限定されない。
【０００８】
請求項１に記載のビニールハウスの露取り具にあっては、硬質フィルムと軟質フィルムとの間には、レール体が設けられている。そのレール体は、上記硬質フィルムおよび軟質フィルムを掛止するとともに、露を受ける露受け部を有し、上記露受け部には水抜き孔が設けられている。これにより、ビニールハウス内の発生する露などを集水することができるとともに、その露による栽培物の病気を防ぐことができる。
【０００９】
請求項２に記載の発明は、上記第１のフィルム体は硬質フィルムであり、第２のフィルム体は軟質フィルムであることを特徴とする請求項１に記載のビニールハウスの露取り具である。
【００１０】
請求項２に記載のビニールハウスの露取り具にあっては、上記レール体は、ビニールハウスの屋根部に固定される硬質の第１のフィルム体と、その屋根部に巻上可能に設けられる軟質の第２のフィルム体とを同時に掛止することができる。軟質の第２のフィルム体は巻上可能に設けられたものである。
【００１１】
請求項３に記載の発明は、上記水抜き孔の下方には、その水抜き孔から落ちる水を集水する箱形状の露受器が配設されたことを特徴とする請求項１または請求項２に記載のビニールハウスの露取り具である。
【００１２】
請求項３に記載のビニールハウスの露取り具にあっては、上記貫通孔の下方には、露受器が配設されている。その露受器で上記露を回収することができる。そして、回収した露を一箇所に集水して、ビニールハウスの外部に排水することができる。
【発明の効果】
【００１３】
この発明によれば、硬質フィルムと軟質フィルムとの間には、レール体が設けられている。そのレール体は、上記硬質フィルムおよび軟質フィルムを掛止するとともに、露を受ける露受け部を有し、その露受け部には水抜き孔が設けられている。これにより、ビニールハウス内の発生する露などを集水することができるとともに、その露による栽培物の病気を防ぐことができる。
【発明を実施するための最良の形態】
【００１４】
以下に、本願発明の実施の形態について図１〜図８を参照して説明する。
【００１５】
最初に、ビニールハウス１０の構成について図１を参照して説明する。
図１に示すように、ビニールハウス１０は、地上に立設された支柱３１と、その支柱３１の上部から幅方向に設けられた梁部３４と、屋根の部分を構成する本体アーチ１７と、屋根の頂点であって、その長さ方向に設けられた棟木３５とで構成されている。
【００１６】
支柱３１は、地上に設けられた台座３２の上に立設されている。支柱３１は、ビニールハウス１０の長さ方向に所定間隔を有して離間して複数個設けられている。
【００１７】
屋根の部分を構成する垂木（本体アーチ１７）は、左右の支柱３１の上部であって、幅方向に配設されている。その本体アーチ１７は、図１に示すように、正面視して半円形を有している。また、本体アーチ１７は、その断面が矩形を有して筒状に形成されている。
【００１８】
また、上記本体アーチ１７の上部には、後述する屋根フィルム（固定フィルム１３および巻上フィルム１４）を支持する支持パイプ３３がその長さ方向に配設されている。その支持パイプ３３は、その幅方向に、所定間隔を有して離間して複数個配設されている。
【００１９】
さらに、ビニールハウス１０は、複数個連接して設けることができる。そして、連接した複数個のビニールハウス１０の谷部には、屋根を流れる雨水などを集水して、地上や下水道に導く谷樋３６が設けられる。
【００２０】
図１に示すように、ビニールハウス１０の屋根部には、その屋根を被覆するフィルム体が設けられる。そのフィルム体は、その屋根に固定して設けられる固定フィルム１３と、巻上フィルム１４とで構成されている。
【００２１】
図２に示すように、上記固定フィルム１３は、硬質フィルムで形成されている。具体的に、固定フィルム１３は、対候性に優れたフッ素系樹脂フィルムが用いられる。そして、固定フィルム１３は、ビニールハウス１０の側面部から屋根の一部を覆うように貼設されている。
【００２２】
また、固定フィルム１３の上部にはフィルム押さえ部材３７（アルミ材）が配設され、固定フィルム１３は、その上部でフィルム押さえ部材３７用いて、ビス３８でビス止めされている。さらに、固定フィルム１３の下部には、その下部から固定フィルム１３を支持する硬質フィルム支持部材４６が配設されている。
【００２３】
さらに、図３に示すように、複数個のビニールハウス１０の谷部近辺には、その屋根部に巻上式の巻上フィルム１４が配設されている。その巻上フィルム１４は、軟質フィルム１４である。その素材は、例えば、農業用ポリオレフィン系フィルム（農ポリ、ＰＯフィルム）が用いられる。上記巻上フィルム１４を巻き上げることにより、ビニールハウス１０内の換気を行うものである。
【００２４】
また、支持パイプ２８の上部には、巻上パイプ１９が配設され、その巻上パイプ１９には巻上フィルム１４の一端が連結されている。上記巻上パイプ１９は、ビニールハウス１０の長さ方向に伸びる棒形状を有している。そして、巻上パイプ１９は、上記支持パイプ２８の上部に沿って回転しながら、巻上フィルム１４を巻き上げる。巻上パイプ１９の巻上の動力は、モータを備えた図示しない巻上装置から得て、巻上フィルム１４を巻き上げている。
さらに、上記巻上フィルム１４の他端は、後述するレール体１１に連結されている。
【００２５】
そして、上記巻上フィルム１４を巻き上げることにより、ビニールハウス１０内を換気することができる。例えば、ビニールハウス１０内の気温が上昇したとき、または、ハウス内の気温または湿度を一定にしたいとき、ハウス内をクリーンな空気に入れ替えたい場合に換気を行う。
【００２６】
さらに、上記巻上フィルム１４が軟質のため、風などによりそのフィルムがめくれたりする場合が生じる。そのため、上記巻上フィルム１４の上部には、その巻上フィルム１４を上から押さえる巻上押さえネット１８が配設されている。
【００２７】
そして、上記固定フィルム１３と上記巻上フィルム１４との間には、ビニールハウス１０の長さに方向に延びるレール体１１が設けられている。図４に示すように、そのレール体１１は、巻上フィルム１４を掛止する第１の溝部２１と、巻上フィルム１４を支持するパイプを挿入する第２の溝部２２と、固定フィルム１３をフィルム留め具２４で押さえて留める第３の溝部２３と、そして、露を受ける露受け溝部１５とで構成されている。
【００２８】
図４に示すように、第１の溝部２１は、その断面がその上部が開放された台形状を有している。図５に示すように、上記第１の溝部２１には、その長さ方向に止め具２６が設けられる。その止め具２６は、波形状を有している。そして、上記止め具２６を、その第１の溝部２１に嵌め込むことにより、上記巻上フィルム１４の端部が掛止される。これにより、巻上フィルム１４を、その一端を固定するとともに、他端から巻上可能に設けることができる。
【００２９】
第２の溝部２２は、その断面が略コの字形状を有している。その第２の溝部２２は、図７（ｂ）に示すように、上記巻上フィルム１４を支持する円筒状の支持パイプ２８を挿入可能な大きさを有している。
または、図７（ａ）に示すように、巻上フィルム１４は、支持パイプ２８の代わりに、板状のフィルム受材４７を用いて支持することができる。なお、その板状のフィルム受材４７は、第２の溝部２２ではなく、第１の溝部２１より外側の掛止箇所でビス止めされる。
【００３０】
図４に示すように、第３の溝部２３は、レール体１１の最上部に配設されている。その第３の溝部２３は、その断面が略Ｖ形状を有している。すなわち、ビスを挿入可能なスペースを有している。また、図５に示すように、その第３の溝部２３の上方から固定フィルム１３を押さえて固定する押さえ部材２４が設けられている。そして、固定フィルム１３は、ビス２５でビス止めされる。
【００３１】
そして、図５に示すように、上記レール体１１を断面視して、第１の溝部２１および第２の溝部２２の左部には、露受け用の露受け溝部１５が設けられている。その露受け溝部１５は、その断面が、上方が開放された矩形の形状を有している。その溝の深さは略３０ｍｍであり、溝の幅は略５０ｍｍである。すなわち、ハウス内に発生する露を受ける容積を有している。
【００３２】
そして、その溝の底面には、上記溝部に発生した露を下方に落とす水抜き孔１２（貫通孔）が設けられている。その水抜き孔１２の大きさは略１６ｍｍである。また、水抜き孔１２は、所定間隔を有して離間して複数個設けられている。
【００３３】
さらに、上記複数個の水抜き孔１２の下方には、その水抜き孔１２から抜ける水を集水する露受器１６が配設されている。その露受器１６は、例えば、特開２００５−２３７２８８号公報に記載のものが用いられる。その露受器１６は、上記露受け溝部１５の底面から下方に脚部３９に係止される。
【００３４】
次に、上記レール体１１の固定方法について説明する。
上記レール体１１は、図８（ａ）および図８（ｂ）に示す固定金具４０で固定される。その固定金具４０は、上板４１と、下板４２と、１対のボルト４３およびナット４４とで構成されている。すなわち、上記レール体１１の下部には、平板状の上板４１が配設されている。また、本体アーチ１７の下部には、凹凸形状を有する下板４２が配設されている。下板４２は、上記本体アーチ１７にフィットするように、その中間部が凹部を有している。
【００３５】
また、上記レール体１１の露受け溝部１５の下方に配設された脚部３９の空間部に上記ボルト４３の頭部が配設される。また、脚部３９の先端には、略水平に配設された爪部４５が配設されている。そして、ボルト４３の頭部がその爪部４５で掛止されている。上記１対のボルト４３は、レール体１１の下部に配設された上板４１および下板４２に貫通して設けられ、下板４２の下部からナット４４で止められる。この結果、レール体１１は、連接されるビニールハウス１０の谷部近辺に配設されるのである。
【００３６】
上記レール体１１は、図４に示すように、連接されたビニールハウス１０の谷部の近辺に設けられている。すなわち、レール体１１は、所定角度を有して斜め方向に配設されている。
そして、ビニールハウス１０内において結露が発生すると、ビニールハウス１０の内部に多量の露が発生する。その霧は、ハウス内のフィルムまたはフィルムを支持する受材を伝って、レール体１１の露受け溝部１５の開放された上部から進入する。これにより、多量に発生する露を集水することができる。また、集水した多量の露は、上記露受け溝部１５の底面に配設された水抜き孔１２から排水される。
【００３７】
また、上記水抜き孔１２から排水した水は、その下方に配設された露受器１６により集水される。そして、集水した水は、一箇所に集められてビニールハウス１０の外に排水される。すなわち、ビニールハウス１０内に発生する露は、一箇所に集められて排水される。
この結果、ビニールハウス１０内において、多量の露が発生しても、栽培物に病気を与えることが少なくなる。
【図面の簡単な説明】
【００３８】
【図１】この発明に係るビニールハウスの全体構成を示す断面図である。
【図２】この発明に係るビニールハウスに配設されたレール体の周辺の構成を示す斜視図である。
【図３】この発明に係るビニールハウスの谷部周辺の構成を示す斜視図である。
【図４】この発明に係るビニールハウスに配設されたレール体の構成を示す斜視図である。
【図５】この発明に係るビニールハウスに配設された固定フィルムと巻取りフィルムとの間のレール体の構成を示す斜視図である。
【図６】この発明に係るレール体の周辺の構成を示し、（ｂ）は、レール体周辺の構成であって、巻上フィルムを支持パイプで支持する構成を示す断面図である。（ａ）は、レール体周辺の構成であって、巻上フィルムを板状のアルミ止め材で支持する構成を示す断面図である。
【図７】この発明に係る巻上フィルムの構成を示し、（ｂ）は、巻上フィルムを支持パイプで支持する構成を示す断面図である。（ａ）は、巻上フィルムを板状のアルミ止め材で支持する構成を示す断面図である。
【図８】この発明に係るレール体をアーチ本体に固定する固定金具の構成を示し、（ａ）は、その断面図である。（ｂ）は、その側面図である。
【符号の説明】
【００３９】
１０  ビニールハウス、
１１  レール体、
１２  水抜き孔、
１３  硬質フィルム、
１４  軟質フィルム、
１５  露受け溝部、
１６  露受器。
【図１】
2008220194.tif 000003
【図２】
2008220194.tif 000004
【図３】
2008220194.tif 000005
【図４】
2008220194.tif 000006
【図５】
2008220194.tif 000007
【図６】
2008220194.tif 000008
【図７】
2008220194.tif 000009
【図８】
2008220194.tif 000010